【事件の表示】
　特願２００７−　７０９４６「白色発光装置、これを用いてなるバックライトおよび表示装置並びに照明装置」拒絶査定不服審判事件〔平成２０年１０月　２日出願公開、特開２００８−２３５４５８〕について、次のとおり審決する。
【結　論】
　本件審判の請求は、成り立たない。
【理　由】
第１　手続の経緯・本願発明
　本願は、平成１９年３月１９日の出願であって、平成２４年７月３１日付けで手続補正がなされ、同年１２月１３日付けで拒絶査定がなされ、これに対し、平成２５年３月１４日に拒絶査定不服審判請求がなされると同時に手続補正がなされ、その後当審において同年７月８日付けで審尋がなされたところ、同年９月２日付けで回答書が提出されたものである。
　
　
第２　平成２５年３月１４日付けの手続補正についての補正却下の決定
［補正却下の決定の結論］
　平成２５年３月１４日付けの手続補正を却下する。
　
［理由］
１　補正の内容 
　平成２５年３月１４日付けの手続補正（以下「本件補正」という。）は、補正前（平成２４年７月３１日付け手続補正後のもの）の請求項として、
　
「【請求項１】
　紫外線半導体発光素子と波長変換材料からなる第一の発光素子と、赤色半導体発光素子からなる第二の発光素子とが配置されてなり、前記波長変換材料は、その発光スペクトルが、４４０ｎｍ以上４６０ｎｍ以下の波長領域内にピーク波長を有する青色蛍光体と、５１０ｎｍ以上５３０ｎｍ以下の波長領域内にピーク波長を有する緑色蛍光体を含み、前記の第二の発光素子は、その発光スペクトルにおいて５８５〜６３０ｎｍの赤色部の波長領域内にピーク波長を有するものであることを特徴とする、白色発光装置。
　【請求項２】
　前記の紫外線半導体発光素子が、その発光スペクトルにおいて３６０ｎｍ以上４４０ｎｍの紫外線波長領域内にピーク波長を有するものである、請求項１に記載の白色発光装置。
　【請求項３】
　前記波長変換材料は、その発光スペクトルのピーク波長半値幅が５０ｎｍ以下である、請求項１または２に記載の白色発光装置。
　【請求項４】
　前記青色蛍光体が、下記一般式（Ｉ）で表されるユーロピウム付活ハロ燐酸塩蛍光体であり、前記緑色蛍光体が、下記一般式（II）で表されるマンガン付活アルミン酸塩蛍光体である、請求項１〜３のいずれか１項に記載の白色発光装置。
一般式（Ｉ）　Ｓｒ１−ｘ−ｙＢａｘＣａｙＥｕｚ）１０（ＰＯ４）６・Ｃｌ２　
［式中、ｘ、ｙ、ｚは、ｘ＜０．２、ｙ＜０．１、０．００５＜ｚ＜０．１である。この式（Ｉ）において、ｘおよびｙは、０（ゼロ）を含む］
一般式（ＩＩ）Ｂａ１−ｘ−ｙ−ｚＳｒｘＣａＥｕｚ）（Ｍｇ１−ｕＭｎｕ）Ａｌ１０Ｏ１１
［式中、ｘ、ｙ、ｚ、ｕは、ｘ＜０．５、ｙ＜０．１、０．１５＜ｚ＜０．４、０．３＜ｕ＜０．６、この式（ＩＩ）において、ｘおよびｙは、０（ゼロ）を含む］
　【請求項５】
　前記波長変換材料は、その平均粒径が３μｍ以上５０μｍ以下である、請求項１〜４のいずれか１項に記載の白色発光装置。
　【請求項６】
　前記の第一の発光素子とそれに隣接する前記の第二の発光素子との間隔が３ｍｍ以下である、請求項１〜５のいずれか１項に記載の白色発光装置。
　【請求項７】
　前記の請求項１〜６のいずれか１項に記載の白色発光装置を用いてなることを特徴とする、バックライト。
　【請求項８】
　前記の請求項７に記載のバックライトを用いてなることを特徴とする、表示装置。
　【請求項９】
　前記の請求項１〜６のいずれか１項に記載の白色発光装置を用いてなることを特徴とする、照明装置。」
　
とあったものを、
　
「【請求項１】
　紫外線半導体発光素子と波長変換材料からなる第一の発光素子と、赤色半導体発光素子からなる第二の発光素子とが配置されてなり、前記波長変換材料は、その発光スペクトルが、４４０ｎｍ以上４６０ｎｍ以下の波長領域内にピーク波長を有する青色蛍光体と、５１０ｎｍ以上５３０ｎｍ以下の波長領域内にピーク波長を有する緑色蛍光体を含み、更に前記の第二の発光素子は、その発光スペクトルにおいて５８５〜６３０ｎｍの赤色部の波長領域内にピーク波長を有するもので
あって、前記青色蛍光体は、下記一般式（Ｉ）で表されるユーロピウム付活ハロ燐酸塩蛍光体で
　
一般式（Ｉ）
（Ｓｒ
１−ｘ−ｙ
Ｂａ
ｘ
Ｃａ
ｙ
Ｅｕ
ｚ
）
１０
（ＰＯ
４
）
６
・Ｃｌ
２
［式中、ｘ、ｙ、ｚは、ｘ＜０．２、ｙ＜０．１、０．００５＜ｚ＜０．１である。この式（Ｉ）において、ｘおよびｙは、０（ゼロ）を含む］
　【請求項２】
　前記の紫外線半導体発光素子が、その発光スペクトルにおいて３６０ｎｍ以上４４０ｎｍの紫外線波長領域内にピーク波長を有するものである、請求項１に記載の白色発光装置。
　【請求項３】
　前記波長変換材料は、その発光スペクトルのピーク波長半値幅が５０ｎｍ以下である、請求項１または２に記載の白色発光装置。
　【請求項４】
　前記緑色蛍光体が、下記一般式（ＩＩ）で表されるマンガン付活アルミン酸塩蛍光体である、請求項１〜３のいずれか１項に記載の白色発光装置。
　一般式（ＩＩ）　（Ｂａ１−ｘ−ｙ−ｚＳｒｘＣａＥｕｚ）（Ｍｇ１−ｕＭｎｕ）Ａｌ１０Ｏ１７［式中、ｘ、ｙ、ｚ、ｕは、ｘ＜０．５、ｙ＜０．１、０．１５＜ｚ＜０．４、０．３＜ｕ＜０．６、この式（II）において、ｘおよびｙは、０（ゼロ）を含む］
　【請求項５】
　前記波長変換材料は、その平均粒径が３μｍ以上５０μｍ以下である、請求項１〜４のいずれか１項に記載の白色発光装置。
　【請求項６】
　前記の第一の発光素子とそれに隣接する前記の第二の発光素子との間隔が３ｍｍ以下である、請求項１〜５のいずれか１項に記載の白色発光装置。
　【請求項７】
　前記の請求項１〜６のいずれか１項に記載の白色発光装置を用いてなることを特徴とする、バックライト。
　【請求項８】
　前記の請求項７に記載のバックライトを用いてなることを特徴とする、表示装置。
　【請求項９】
　前記の請求項１〜６のいずれか１項に記載の白色発光装置を用いてなることを特徴とする、照明装置。」
　
と補正するものである。
　
　そして、本件補正は、補正前の請求項１の「青色蛍光体」が、「一般式（Ｉ）（（Ｓｒ１−ｘ−ｙＢａｘＣａｙＥｕｚ）１０（ＰＯ４）６・Ｃｌ２［式中、ｘ、ｙ、ｚは、ｘ＜０．２、ｙ＜０．１、０．００５＜ｚ＜０．１で、ｘおよびｙは、０（ゼロ）を含む］）で表されるユーロピウム付活ハロ燐酸塩蛍光体である」との限定を行うものであるから、上記補正は、平成１８年法律第５５号改正附則第３条第１項によりなお従前の例によるとされる同法による改正前の特許法第１７条の２第４項第２号の特許請求の範囲の減縮を目的とするものである。
　
２　独立特許要件 
　そこで、本件補正後の請求項１に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
（１）引用刊行物記載の発明
　ア　引用刊行物１
　原査定の拒絶の理由に引用された、本願の出願前に頒布された刊行物である国際公開第２００４／１００２７５号（以下「引用刊行物１」という。）には、図とともに以下の事項が記載されている（括弧書きで和訳を付した。）。
　
　（ア）「
Field of the Invention
　This invention relates to light emitting diodes (LEDs) and more particularly to an apparatus with multiple LEDs that in combination produce white light.」（１頁９〜１２行）
（
発明の分野
　この発明は、発光ダイオード（ＬＥＤ）に関し、特に組み合わされて白色光を生成する複数のＬＥＤを備える装置に関する。）
　（イ）「
SUMMARY OF THE INVENTION
　The present invention seeks to provide solid-state white emitting lamps with high efficacy and good color rendering. One embodiment of a white light emitting lamp according to the present invention comprises a solid state ultra violet (UV) emitter (e.g., laser or LED) that emits light in the UV wavelength spectrum. A conversion material is arranged to absorb at least some of the light emitting from the UV emitter and re-emit light at one or more different wavelengths of light.」（６頁２８行〜７頁４行）
（
発明の概要
　この発明は、高効率と良好な演色性を有する固体白色発光ランプを提供することを目的とする。この発明による白色発光ランプの一態様は、ＵＶ波長スペクトルの光を発光する固体紫外線（ＵＶ）発光素子（例えば、レーザーやＬＥＤ）を含む。ＵＶ発光素子からの少なくともいくらかの発光を吸収し、一つあるいはそれ以上の異なる波長の光を再発光する変換物質が配置される。）
　（ウ）「
White Lamp Using UV Emitters
　FIG. 1 shows one embodiment of a multi-component solid-state lamp white lamp 10 constructed in accordance with the invention. It comprises a first light emitter 12 that emits in the ultraviolet wavelength spectrum. …The emitter 12 is preferably a light emitting diode (LED) , but it can also be other emitters, such as a solid-state laser or organic light emitting diode. The lamp 10 further comprises a complimentary second light emitter 14 that emits in the red wavelength spectrum and is also preferably a LED, but can also be a solid-state laser or organic light emitting diode . 
…
　The first and second LEDs 12, 14 are mounted on a submount 16 for mechanical stability. The submount 16 can also contain electrical circuitry for controlling the relative amount of current or power applied to the respective LEDs 12, 14, or to otherwise modify the electric signal applied to the LEDs 12, 14. …The submount 16 is mounted at the horizontal base 17 of metal cup 18 that typically has conductive paths (not shown) for applying a bias across the contacts on the LEDs 12, 14, to cause each of the LEDs to emit light.
…
　The lamp 10 further comprises a conversion material 22 that surrounds the first UV emitter 12 except for the surface of the emitter 12 that is adjacent to the submount. The material 22 can be one or more flourescent or phosphorescent material such as a phosphor, flourescent dye or photoluminescent semiconductor. The material 22 absorbs at least some of the electromagnetic radiation (light) emitted by the UV LED 12 and re-emits at least some of the absorbed radiation at one or more wavelength spectrums that are different from the absorbed wavelength. In the case of the UV emitter 12, the conversion material 22 has a combination of materials that absorb UV light and re-emit light in the green and blue wavelength spectrums. Different materials can be used for absorbing the UV light and re- emitting green light, with a preferred material being a Sr : thiogallate phosphor. Different materials can also be used for absorbing UV light and re-emitting blue light, with a preferred material being ZnS or BaMgAl10O17 doped with appropriate impurities. The LEDs 12,14, submount 16, and conversion material 22 can be encased in and protected by a clear epoxy 24 that fills the metal cup 16（審決注：「the metal cup 18」の誤りと認める。）.
　When the appropriate electrical signal is applied to the lamp 10, the UV and red LEDs 12, 14, emit light at their respective characteristic spectrum. At least some of the UV light is absorbed by the conversion material 22 and re-emitted as green and blue light. The combination of blue, green light from the conversion material, and red light from the red LED, provides white light with high efficacy and color rendering that appears white when viewed by the human eye . 」（１１頁１１行〜１３頁２４行）
（
ＵＶ発光素子を用いる白色ランプ
　図１は、この発明にしたがって組み立てられた複数部品からなる固体ランプの白色ランプ１０の一態様を示す。それは、紫外波長スペクトルを発光する第１発光素子１２を含む。…発光素子１２は、発光ダイオード（ＬＥＤ）でもよいし、固体レーザーや有機発光ダイオードのような他の発光素子でも構わない。ランプ１０は、赤の波長スペクトルを発光し、ＬＥＤでもあってもよく、あるいは固体レーザーや有機発光ダイオードであってもよい補助的な第２の発光素子１４をさらに含む。
…
　第１と第２のＬＥＤ１２、１４は、機械的に安定させるためにサブマウント１６上にマウントされる。サブマウント１６は、ＬＥＤ１２、１４それぞれに加える相対的な電流量や電力量をコントロールするための、あるいはＬＥＤ１２、１４に加えられる電気信号を補正するための電気回路をも含んでいてもよい。…サブマウント１６は、それぞれのＬＥＤを発光させるための、典型的にはＬＥＤ１２、１４の接点を通じてバイアスをかける（示されてはいない）導電路を有する“金属カップ“１８の水平なベース１７にマウントされる。
…
　ランプ１０は、サブマウントに隣接する発光素子１２の表面を除く第１発光素子１２の表面を取り囲む変換物質２２をさらに含む。物質２２は、リンや蛍光染料、あるいはフォトルミネセント半導体のような一つあるいはそれ以上の蛍光あるいは燐光物質であり得る。物質２２は、ＵＶＬＥＤ１２により発光された少なくともいくらかの電磁放射（光）を吸収し、吸収した波長とは異なる一つあるいはそれ以上の波長スペクトル少なくともある吸収放射を再発光する。ＵＶ発光素子１２の場合、変換物質２２は、ＵＶ光を吸収し、緑と青の波長スペクトルの光を再発光する物質の組合せを有する。ＵＶ光を吸収し、緑光を再発光するために、異なる物質が使用され得、その好ましい物質はＳｒチオ没食子酸塩リンである。ＵＶ光を吸収し、青光を再発光するために、さらに異なる物質が使用され得、その好ましい物質は適当な不純物がドープされたＺｎＳあるいはＢａＭｇＡｌ１０Ｏ１７である。ＬＥＤ１２、１４、サブマウント１６、変換物質２２は、金属カップ１８に満たされた透明エポキシ２４に包まれ、保護される。
　適当な電気信号がランプ１０に加えられると、ＵＶと赤のＬＥＤ１２、１４は、それぞれの特徴的なスペクトルの光を発光する。少なくともいくらかのＵＶ光は、変換物質２２により吸収され、緑と青の光として再発光される。変換物質からの青と緑の光と、赤ＬＥＤからの赤光との組合せは、人間の目で見たときに白く見える高効率かつ光演色性の白色光を提供する。）
　
　上記摘記事項を総合すると、引用刊行物１には、以下の発明（以下「引用発明１」という。）が記載されていると認められる。
　
「紫外波長スペクトルを発光する第１発光素子１２を含み、発光素子１２は、発光ダイオード（ＬＥＤ）でもよく、
　赤の波長スペクトルを発光し、ＬＥＤでもあってもよい補助的な第２の発光素子１４をさらに含む、白色ランプ１０であって、
　第１と第２のＬＥＤ１２、１４は、機械的に安定させるためにサブマウント１６上にマウントされ、サブマウント１６は、それぞれのＬＥＤを発光させるための導電路を有する金属カップ１８の水平なベース１７にマウントされ、
　サブマウントに隣接する発光素子１２の表面を除く第１発光素子１２の表面を取り囲む変換物質２２をさらに含み、物質２２は、リンや蛍光染料、フォトルミネセント半導体のような一つあるいはそれ以上の蛍光あるいは燐光物質であり得、ＵＶ発光素子１２の場合、変換物質２２は、ＵＶ光を吸収し、緑と青の波長スペクトルの光を再発光する物質の組合せを有し、ＵＶ光を吸収し、緑光を再発光するために、異なる物質が使用され得、その好ましい物質はＳｒチオ没食子酸塩リンであり、ＵＶ光を吸収し、青光を再発光するために、さらに異なる物質が使用され得、その好ましい物質は適当な不純物がドープされたＺｎＳあるいはＢａＭｇＡｌ１０Ｏ１７であり、ＬＥＤ１２、１４、サブマウント１６、変換物質２２は、金属カップ１８に満たされた透明エポキシ２４に包まれ、保護され、
　適当な電気信号がランプ１０に加えられると、ＵＶと赤のＬＥＤ１２、１４は、それぞれの特徴的なスペクトルの光を発光し、少なくともいくらかのＵＶ光は、変換物質２２により吸収され、緑と青の光として再発光され、変換物質からの青と緑の光と、赤ＬＥＤからの赤光との組合せは、人間の目で見たときに白く見える高効率かつ高演色性の白色光を提供する、白色ランプ１０。」
　
　イ　引用刊行物２
　本願の出願前に頒布された刊行物である国際公開第２００６／０６８１４１号（以下「引用刊行物２」という。）には、図とともに以下の事項が記載されている。
　
　（ア）「［０００１］　本発明は、液晶表示装置のバックライトに好適な白色ＬＥＤ（発光ダイオード）およびそれを用いたバックライト並びに液晶表示装置に係り、特に輝度が高く、かつ青色，緑色，赤色に対して他の発光色の混入が少なく色再現性に優れた白色ＬＥＤ（発光ダイオード）およびそれを用いたバックライト並びに液晶表示装置に関する。」
　（イ）「［００１７］　本発明は…紫外線発光または紫色発光のダイオードと、青色、緑色、赤色を含む３種類以上の可視光を発光する蛍光体とを具備する白色ＬＥＤにおいて、その白色ＬＥＤの発光スペクトル波長が４４０ｎｍ以上４６０ｎｍ以下の範囲の青色部、５１０ｎｍ以上５３０ｎｍ以下の範囲の緑色部、６２０ｎｍ以上６４０ｎｍ以下の範囲の赤色部にピーク値を有することを特徴とする白色ＬＥＤである。
…
［００１９］さらに上記白色ＬＥＤにおいて、前記可視光発光蛍光体のうち青色発光蛍光体が、
一般式：（Ｓｒ１−ｘ−ｙＢａｘＣａｙＥｕｚ）１０（ＰＯ４）６・Ｃｌ２（但し、式中ｘ、ｙ、ｚはｘ＜０．２、ｙ＜０．１、０．００５＜ｚ＜０．１の関係を満たす。）で表されるユーロピウム付活ハロ燐酸塩蛍光体であることが好ましい。」
　
　上記摘記事項を総合すると、引用刊行物２には、以下の発明（以下「引用発明２」という。）が記載されていると認められる。
　
「紫外線発光のダイオードと、青色、緑色、赤色を含む３種類以上の可視光を発光する蛍光体とを具備し、輝度が高く、かつ青色，緑色，赤色に対して他の発光色の混入が少なく色再現性に優れた白色ＬＥＤであって、
　その白色ＬＥＤの発光スペクトル波長が４４０ｎｍ以上４６０ｎｍ以下の範囲の青色部、５１０ｎｍ以上５３０ｎｍ以下の範囲の緑色部、６２０ｎｍ以上６４０ｎｍ以下の範囲の赤色部にピーク値を有し、可視光発光蛍光体のうち青色発光蛍光体が、
一般式：（Ｓｒ１−ｘ−ｙＢａｘＣａｙＥｕｚ）１０（ＰＯ４）６・Ｃｌ２（但し、式中ｘ、ｙ、ｚはｘ＜０．２、ｙ＜０．１、０．００５＜ｚ＜０．１の関係を満たす。）で表されるユーロピウム付活ハロ燐酸塩蛍光体である、白色ＬＥＤ。」
　
（２）対比、判断
　本願補正発明と引用発明１とを対比する。
　
　ア　引用発明１の「（紫外波長スペクトルを発光し、ＬＥＤでもよい）第１発光素子１２」は、本願補正発明の「紫外線半導体発光素子」に相当する。
　イ　引用発明１の「『第１発光素子１２』及び『（第１発光素子１２の表面を取り囲む）変換物質２２』」は、本願補正発明の「（紫外線半導体発光素子と波長変換材料からなる）第一の発光素子」に相当する。
　ウ　引用発明１の「変換物質２２」は、「ＵＶ光を吸収し、緑と青の波長スペクトルの光を再発光する物質の組合せを有し、ＵＶ光を吸収し、緑光を再発光するために、異なる物質が使用され得、…ＵＶ光を吸収し、青光を再発光するために、さらに異なる物質が使用され得」るものであるから、
　（ア）引用発明１の「ＵＶ光を吸収し、青の波長スペクトルの光を再発光する物質」及び「ＵＶ光を吸収し、緑の波長スペクトルの光を再発光する物質」は、それぞれ、本願補正発明の「青色蛍光体」及び「緑色蛍光体」に相当し、
　（イ）引用発明１の「『変換物質２２』は『ＵＶ光を吸収し、緑と青の波長スペクトルの光を再発光する物質の組合せを有し』」との事項と、本願補正発明の「前記波長変換材料は、その発光スペクトルが、４４０ｎｍ以上４６０ｎｍ以下の波長領域内にピーク波長を有する青色蛍光体と、５１０ｎｍ以上５３０ｎｍ以下の波長領域内にピーク波長を有する緑色蛍光体を含み」との事項とは、「前記波長変換材料は、青色蛍光体と、緑色蛍光体を含み」との点で一致する。
　エ　引用発明１の「第２の発光素子１４」は、「赤の波長スペクトルを発光し、ＬＥＤでもあってもよい」ものであるから、
　（ア）引用発明１の「（赤の波長スペクトルを発光し、ＬＥＤでもあってもよい）第２の発光素子１４」は、本願補正発明の「（赤色半導体発光素子からなる）第二の発光素子」に相当し、
　（イ）引用発明１の「『第２の発光素子１４』は『赤の波長スペクトルを発光し』」との事項と、本願補正発明の「前記の第二の発光素子は、その発光スペクトルにおいて５８５〜６３０ｎｍの赤色部の波長領域内にピーク波長を有する」との事項とは、「前記の第二の発光素子は、赤色部の波長領域内の波長を有する」との点で一致する。
　オ　引用発明１の「白色ランプ１０」は、本願補正発明の「白色発光装置」に相当する。
　
　したがって、本願補正発明と引用発明１とは、
　
「紫外線半導体発光素子と波長変換材料からなる第一の発光素子と、赤色半導体発光素子からなる第二の発光素子とが配置されてなり、前記波長変換材料は、青色蛍光体と、緑色蛍光体を含み、更に前記の第二の発光素子は、赤色部の波長領域内の波長を有する、白色発光装置。」　
である点で一致し、次の点で相違する。
　 
　本願補正発明は、青色蛍光体が、４４０ｎｍ以上４６０ｎｍ以下の波長領域内にピーク波長を有するものであり、緑色蛍光体が、５１０ｎｍ以上５３０ｎｍ以下の波長領域内にピーク波長を有するものであり、前記青色蛍光体が、下記一般式（Ｉ）で表されるユーロピウム付活ハロ燐酸塩蛍光体であり、　一般式（Ｉ）　（Ｓｒ１−ｘ−ｙＢａｘＣａｙＥｕｚ）１０（ＰＯ４）６・Ｃｌ２　［式中、ｘ、ｙ、ｚは、ｘ＜０．２、ｙ＜０．１、０．００５＜ｚ＜０．１である。この式（Ｉ）において、ｘおよびｙは、０（ゼロ）を含む］更に第二の発光素子が、その発光スペクトルにおいて５８５〜６３０ｎｍの赤色部の波長領域内にピーク波長を有するものであるのに対し、引用発明１は、青色蛍光体、緑色蛍光体がそのような波長領域内にピーク波長を有するものであるのか否か明らかでなく、青色蛍光体が上記一般式（Ｉ）で表されるようなものであるのか否か明らかでなく、また、第２の発光素子が、上記の波長領域内にピーク波長を有するものであるのか否か明らかでない点（以下「相違点１」という。）。
　
　上記相違点１につき検討する。
　引用発明１は、「（青の波長スペクトルの光を再発光する変換）物質からの青の光」と、「（緑の波長スペクトルの光を再発光する変換）物質からの緑の光」と、「赤ＬＥＤからの赤光」との組合せが、「人間の目で見たときに白く見える高効率かつ高演色性の白色光を提供する」ものであるところ、「高効率かつ高演色性の白色光を提供する」ために、前記「青の光」、「緑の光」及び「赤光」が、それぞれ、どのような波長領域内にピーク波長を有するものとするかは、当業者が当該引用発明１を実施する際に適宜に定めるべき設計的事項であって、本願明細書をみても、「青色蛍光体が、４４０ｎｍ以上４６０ｎｍ以下の波長領域内にピーク波長を有し、緑色蛍光体が、５１０ｎｍ以上５３０ｎｍ以下の波長領域内にピーク波長を有」し、「更に第二の発光素子が、その発光スペクトルにおいて５８５〜６３０ｎｍの赤色部の波長領域内にピーク波長を有する」と定めた点に設計的事項の域を超えるほどの格別の技術的意義があるものとは認められない。
　しかるところ、上記（１）イによれば、引用刊行物２には、「紫外線発光のダイオードと、青色、緑色、赤色を含む３種類以上の可視光を発光する蛍光体とを具備し、…色再現性に優れた白色ＬＥＤ」において、「青色発光蛍光体」として「一般式：（Ｓｒ１−ｘ−ｙＢａｘＣａｙＥｕｚ）１０（ＰＯ４）６・Ｃｌ２（但し、式中ｘ、ｙ、ｚはｘ＜０．２、ｙ＜０．１、０．００５＜ｚ＜０．１の関係を満たす。）で表されるユーロピウム付活ハロ燐酸塩蛍光体」を用いる発明（引用発明２）が記載されているから、（高演色性の白色光を提供する）引用発明１の「白色ランプ１０」において、高演色性のもの（色再現性に優れたもの）とするために、「青の波長スペクトルの光を再発光する物質」として、引用発明２の上記一般式の「ユーロピウム付活ハロ燐酸塩蛍光体」を用い、その結果、上記相違点１に係る本願補正発明の構成となすことは、当業者が容易になし得ることである。
　また、本願補正発明の奏する効果が、引用発明１、２から当業者が予測困難な程の格別顕著なものということはできない。
　
　よって、本願補正発明は、引用刊行物１、２に記載された発明に基づいて当業者が容易に発明をすることができたものであるから、特許法第２９条第２項の規定により、特許出願の際独立して特許を受けることができないものである。
　
（３）むすび  
　以上のとおり、本件補正は、平成１８年改正前法律第５５号改正附則第３条第１項によりなお従前の例によるとされる同法による改正前の特許法第１７条の２第５項において準用する同法第１２６条第５項の規定に違反するものであるから、同法第１５９条第１項の規定において読み替えて準用する同法第５３条第１項の規定により却下すべきものである。
　
　
第３　本願発明について
１　本願発明
　本件補正は上記のとおり却下されたので、本願の請求項に係る発明は、平成２４年７月３１日付け手続補正書の特許請求の範囲の請求項１〜９に記載された事項によって特定されるものであるところ、その請求項１に係る発明（以下「本願発明」という。）は、上記第２の１において補正前のものとして記載したとおりのものである。
　
２　刊行物記載の発明
　原査定の拒絶の理由に引用された、本願の出願前に頒布された引用刊行物１及び引用発明１は、上記第２の２（１）アのとおりである。
　
３　対比、判断
　本願発明と引用発明１とを対比するに、上記第２の２（２）ア〜オにおけるのと同様の対比により、本願発明と引用発明１とは、
　
「紫外線半導体発光素子と波長変換材料からなる第一の発光素子と、赤色半導体発光素子からなる第二の発光素子とが配置されてなり、前記波長変換材料は、青色蛍光体と、緑色蛍光体を含み、前記の第二の発光素子は、赤色部の波長領域内の波長を有する、白色発光装置。」　
である点で一致し、次の点で相違するといえる。
　 
　本願発明は、青色蛍光体が、４４０ｎｍ以上４６０ｎｍ以下の波長領域内にピーク波長を有するものであり、緑色蛍光体が、５１０ｎｍ以上５３０ｎｍ以下の波長領域内にピーク波長を有するものであり、第二の発光素子が、その発光スペクトルにおいて５８５〜６３０ｎｍの赤色部の波長領域内にピーク波長を有するものであるのに対し、引用発明１は、青色蛍光体、緑色蛍光体がそのような波長領域内にピーク波長を有するものであるのか否か明らかでなく、また、第２の発光素子が、上記の波長領域内にピーク波長を有するものであるのか否か明らかでない点（以下「相違点２」という。）。
　
　上記相違点２につき検討する。
　引用発明１は、「（青の波長スペクトルの光を再発光する変換）物質からの青の光」と、「（緑の波長スペクトルの光を再発光する変換）物質からの緑の光」と、「赤ＬＥＤからの赤光」との組合せが、「人間の目で見たときに白く見える高効率かつ高演色性の白色光を提供する」ものであるところ、「高効率かつ高演色性の白色光を提供する」ために、前記「青の光」、「緑の光」及び「赤光」が、それぞれ、どのような波長領域内にピーク波長を有するものとするかは、当業者が当該引用発明１を実施する際に適宜に定めるべき設計的事項であって、本願明細書をみても、「青色蛍光体が、４４０ｎｍ以上４６０ｎｍ以下の波長領域内にピーク波長を有し、緑色蛍光体が、５１０ｎｍ以上５３０ｎｍ以下の波長領域内にピーク波長を有」し、「第二の発光素子が、その発光スペクトルにおいて５８５〜６３０ｎｍの赤色部の波長領域内にピーク波長を有する」と定めた点に設計的事項の域を超えるほどの格別の技術的意義があるものとは認められない。
　したがって、引用発明１において、「青の光」、「緑の光」及び「赤光」が、それぞれ、どのような波長領域内にピーク波長を有するかを定めて、上記相違点２に係る本願発明の構成となすことは、当業者が容易になし得ることである。
　また、本願発明の奏する効果が、引用発明１から当業者が予測困難な程の格別顕著なものということはできない。
　
４　むすび
　以上のとおり、本願発明は、引用刊行物１に記載された発明に基づいて当業者が容易に発明をすることができたものであるから、特許法第２９条第２項の規定により特許を受けることができない。
　
　よって、結論のとおり審決する。